(57)【特許請求の範囲】
【請求項１】
建築物において上階からの排水を下階に流下させるための排水集合管および前記排水集合管を前記建築物の床スラブに取り付けるための固定部材からなり、
前記排水集合管は、
前記床スラブよりも上階からの排水を流入させる立管に接続される上部接続部と、
前記排水を前記床スラブの下方に流下させる立管に接続される下部接続部と、
前記上部接続部および前記下部接続部の間においてこれらを連結する本体と、からなり、
前記本体は、
前記上部接続部と前記下部接続部とを結ぶ方向に略直交してその外面から全周にまたは複数方向に突出する被固定部を有し、
前記被固定部は、
貫通する複数の貫通孔またはその端縁に複数の切り欠きを備えており、
前記固定部材は、
前記下部接続部が貫通可能であって前記本体を挿入可能な孔である本体貫通孔と、
前記本体貫通孔を取り巻くように配された集合管固定部と、からなり、
前記集合管固定部は、前記複数の貫通孔もしくは前記複数の切り欠きの１つ１つにいずれかが重なる雌ネジが刻まれた複数の雌ネジ孔、または前記複数の貫通孔もしくは前記複数の切り欠きの１つ１つをいずれかが貫通可能な雄ネジが刻まれた複数の棒状突出物が設けられており、
前記固定部材が前記雌ネジ孔の開口または前記棒状突出物を前記床スラブの上面に露出させて前記床スラブに固定可能に形成された
ことを特徴とする排水集合管セット。
【請求項２】
前記本体貫通孔は円形断面を有する
請求項１に記載の排水集合管セット。
【請求項３】
前記床スラブに前記排水集合管が取り付けられたときに前記床スラブの下方における開口を塞ぐための閉塞部材をその構成に含み、
前記閉塞部材は、
前記下部接続部を貫通可能な孔である下部接続部用孔を備えた
請求項１または請求項２に記載の排水集合管セット。
【請求項４】
前記固定部材は、
前記本体貫通孔の径と同一または前記径よりも大きな内径を有し前記本体貫通孔の軸心とその軸心を一致させその一方の端が前記集合管固定部に連続する円筒状の円筒部を有し、
前記円筒部の他方の端が前記下部接続部を貫通可能な孔である下部接続部用孔を備えた鍔部により閉じられている
請求項２または請求項３に記載の排水集合管セット。
【請求項５】
弾性材料で形成されたシール部材をその構成に含み、
前記シール部材は、
前記本体貫通孔内に前記本体貫通孔の内周に密着して嵌め入れ可能な断面円形の外周面を備える孔内挿入部を有し、
前記孔内挿入部にその軸心方向を軸心とし前記本体を密着させて挿入可能な孔が設けられた
請求項２ないし請求項４のいずれか１項に記載の排水集合管セット。
【発明の詳細な説明】
【技術分野】
【０００１】
本発明は、高層集合住宅または事務所ビル等において上下階を隔てる床スラブに取り付けられる排水集合管および排水集合管セットに関する。
【背景技術】
【０００２】
高層集合住宅または事務所ビル等では、それぞれの階で生じた排水は、その階の床スラブに固定された排水集合管に集められ、更にその上階から流入する排水とともに下階の立管に送られる。このような排水集合管は、設計上の耐用年数が長いことから容易に取り外すことができないように、セメント、モルタルセメント等の固化して強度を発揮する建材によって床スラブを貫通する孔に固定される。
【０００３】
ところで、近年、ゆとりある住生活を目指して、超長期にわたり循環利用できる住宅の構想がなされている（２００年住宅）。このような超長期にわたり循環利用できる住宅では、その間に間取りの変更がされると排水配管等の位置を変える必要が生じ、また、劣化によって排水配管の取り換えの必要が生ずることが予想される。
排水配管の取り換えに関連する、上階の床スラブに固定された排水集合管から流出する排水を下階の排水集合管に流入させる立管を、切断することなく取り外す技術が特許文献１に開示されている。
【先行技術文献】
【特許文献】
【０００４】
【特許文献１】特開２００９−４６８４８号公報
【発明の概要】
【発明が解決しようとする課題】
【０００５】
排水集合管には、上階からの排水に加えて、その内部で流れ方向が９０度変更される横枝管からの排水も流入する。また、排水中には酸性のもの、固形物を含むもの等があり、排水集合管の内部は、腐食および摩耗が生じやすい。
超長期にわたり循環利用される住宅では、排水集合管についても、その利用期間中に他の配管と同様に更新の必要が生ずる可能性が高い。しかし、現状では、排水集合管の更新は、床スラブのはつり（削）等大掛かりな作業が必要である。
【０００６】
本発明は、上述の問題に鑑みてなされたもので、大掛かりな作業を必要としないで更新可能な排水集合管および排水集合管セットを提供することを目的とする。
【課題を解決するための手段】
【０００７】
本発明に係る排水集合管は、建築物の床スラブに取り付けられ上階からの排水を下階に流下させる排水集合管であって、前記床スラブよりも上階からの排水を流入させる立管に接続される上部接続部と、前記排水を前記床スラブの下方に流下させる立管に接続される下部接続部と、前記上部接続部および前記下部接続部の間においてこれらを連結する本体と、からなり、前記本体は、前記上部接続部と前記下部接続部とを結ぶ方向に略直交してその外面から全周にまたは複数方向に突出する被固定部を有し、前記被固定部は、貫通する複数の貫通孔またはその端縁に複数の切り欠きを備える。
【０００８】
本発明に係る排水集合管セットは、建築物において上階からの排水を下階に流下させるための排水集合管および前記排水集合管を前記建築物の床スラブに取り付けるための固定部材からなり、前記排水集合管は、前記床スラブよりも上階からの排水を流入させる立管に接続される上部接続部と、前記排水を前記床スラブの下方に流下させる立管に接続される下部接続部と、前記上部接続部および前記下部接続部の間においてこれらを連結する本体と、からなり、前記本体は、前記上部接続部と前記下部接続部とを結ぶ方向に略直交してその外面から全周にまたは複数方向に突出する被固定部を有し、前記被固定部は、貫通する複数の貫通孔またはその端縁に複数の切り欠きを備えており、前記固定部材は、前記下部接続部が貫通可能であって前記本体を挿入可能な孔である本体貫通孔と、前記本体貫通孔を取り巻くように配された集合管固定部と、からなり、前記集合管固定部は、前記複数の貫通孔もしくは前記複数の切り欠きの１つ１つにいずれかが重なる雌ネジが刻まれた複数の雌ネジ孔、または前記複数の貫通孔もしくは前記複数の切り欠きの１つ１つをいずれかが貫通可能な雄ネジが刻まれた複数の棒状突出物が設けられており、前記固定部材が前記雌ネジ孔の開口または前記棒状突出物を前記床スラブの上面に露出させて前記床スラブに固定可能に形成される。
【０００９】
好ましくは、前記本体貫通孔は円形断面を有する。
好ましくは、前記排水集合管セットは、前記床スラブに前記排水集合管が取り付けられたときに前記床スラブの下方における開口を塞ぐための閉塞部材をその構成に含み、前記閉塞部材は、前記下部接続部を貫通可能な孔である下部接続部用孔を備える。
好ましくは、前記固定部材は、前記本体貫通孔の径と同一または前記径よりも大きな内径を有し前記本体貫通孔の軸心とその軸心を一致させその一方の端が前記集合管固定部に連続する円筒状の円筒部を有し、前記円筒部の他方の端が前記下部接続部を貫通可能な孔である下部接続部用孔を備えた鍔部により閉じられている。
【００１０】
好ましくは、弾性材料で形成されたシール部材をその構成に含み、前記シール部材は、前記本体貫通孔内に前記本体貫通孔の内周に密着して嵌め入れ可能な断面円形の外周面を備える孔内挿入部を有し、前記孔内挿入部にその軸心方向を軸心とし前記本体を密着させて挿入可能な孔が設けられる。
【発明の効果】
【００１１】
本発明によると、大掛かりな作業を必要としないで更新可能な排水集合管および排水集合管セットを提供することができる。
【図面の簡単な説明】
【００１２】
【図１】図１は排水集合管の正面図である。
【図２】図２は排水集合管の平面図である。
【図３】図３は固定部材の概要図である。
【図４】図４は閉塞部材の概要図である。
【図５】図５はシール部材の概要図である。
【図６】図６は床スラブへの排水集合管の取り付け工程を示す図である。
【図７】図７は床スラブに取り付けられた排水集合管廻りの正面部分断面図である。
【図８】図８は排水集合管の上部接続部に立管を接続する様子を示す図である。
【図９】図９は他の固定部材を使用して床スラブに取り付けられた排水集合管廻りの正面部分断面図である。
【図１０】図１０は他の固定部材の概要図である。
【図１１】図１１は他の排水集合管の概要図である。
【図１２】図１２は他の排水集合管の概要図である。
【図１３】図１３は他の固定部材を使用して床スラブに取り付けられた排水集合管廻りの正面部分断面図である
【図１４】図１４は他の排水集合管の平面図である。
【発明を実施するための形態】
【００１３】
図１は排水集合管１の正面図、図２は排水集合管１の平面図、図３は固定部材２の概要図、図４は閉塞部材３の概要図、図５はシール部材４の概要図である。
図３〜図５において（ａ）は正面図および（ｂ）は平面図である。
排水集合管１は、高層集合住宅等において階と階とを隔てる床スラブＦＳを貫通させて床スラブＦＳに固定されるものである。排水集合管１は、本体１１、例えば上階から排水を流下させる立管に接続される上部接続部１２、下方に排水を流出させる下部接続部１３および床スラブＦＳの当該階で発生した排水を流入させる横枝管に接続される横枝管接続部１４，１４からなる。
【００１４】
本体１１は、上部接続部１２および横枝管接続部１４，１４に直接に連続する集水部１５、および上部接続部１２とは反対側で集水部１５に連続し下方で下部接続部に連続する整流部１６からなる。集水部１５は、上部接続部１２および整流部１６のそれぞれの軸心方向が一致するようにこれらに連続している。また、集水部１５は、横枝管接続部１４，１４の軸心方向が、上部接続部１２および整流部１６のそれぞれの軸心方向に略直交するように横枝管接続部１４，１４に連続している。
【００１５】
整流部１６は、直胴部１７およびテーパ部１８からなる。直胴部１７は円筒状の部分であり、一端が集水部１５に連続する。テーパ部１８は、外観が円錐台の中空部分であり、一端が直胴部に連なり、他端に向けて徐々に内径が小さくなる。整流部１６の内部には、例えば流下する排水を旋回させるための旋回羽根が設けられている。
上部接続部１２は、上述したように例えば上階から排水を流下させる立管に接続される部分であり、排水集合管１においては、断面が円形中空の管で形成され、同じく円形中空の管である立管の端にスライド継手によって接続される。
【００１６】
下部接続部１３は、軸心を整流部１６に一致させてテーパ部１８の他端に連続する円形中空の管状の部分である。
横枝管接続部１４は、排水集合管１においては、２つが軸心を直交させて集水部１５に連続している。横枝管接続部１４は、１つまたは３つ設けられてもよい。
排水集合管１には、整流部１６における直胴部１７の外周に、円形の外縁を有する全体として厚板のフランジ状であるフランジ部１９が設けられている。フランジ部１９には、平面視（図２）において横枝管接続部１４，１４に重ならない位置に４つのボルト貫通孔２０，２０，２０，２０を備えている。４つのボルト貫通孔２０，２０，２０，２０は、フランジ部１９の円形中心から等距離の位置に、互いに周方向において９０度の間隔を有して配されている。
【００１７】
排水集合管１は、例えば、ねずみ鋳鉄、球状黒鉛鋳鉄等の鋳物や鋼、ステンレス鋼等の鋼材で製作される。
排水集合管１は、固定部材２、閉塞部材３およびシール部材４等を使用して床スラブＦＳに固定される。
固定部材２は、排水集合管１を最終的に床スラブＦＳに固定するための部材であり、排水集合管１と対になるものとして扱われる。固定部材２は、集合管固定部２５および床固定部２６からなる。集合管固定部２５は、円筒状の部分であり、外径が排水集合管１におけるフランジ部１９の外径に略等しい。集合管固定部２５における中央の孔を「本体貫通孔２１」という。
【００１８】
床固定部２６は、集合管固定部２５の一方の端面から径方向外方にリング状に拡がる、板状の部分である。
本体貫通孔２１の内径は、排水集合管１における直胴部１７の外径よりも大きく、さらに、後述するシール部材４における孔内挿入部３１の外径よりも大きい。
固定部材２は、端面に開口する、雌ネジが施された４つのボルト孔２７，２７，２７，２７を有している。４つのボルト孔２７，２７，２７，２７は、集合管固定部２５（本体貫通孔２１）の中心から等距離の位置に、互いに周方向において９０度の間隔を有して配されている。１８０度の間隔を有する２つのボルト孔２７，２７の軸心の距離は、フランジ部１９における１８０度の間隔を有する２つのボルト貫通孔２０，２０の軸心の距離に等しい。また、固定部材２は、床固定部２６に、互いに周方向において４５度の間隔を有する８つの固定補助孔２８，…，２８を有する。
【００１９】
固定部材２は、排水集合管１と同じ材料、例えば、ねずみ鋳鉄、球状黒鉛鋳鉄等の鋳物や鋼、ステンレス鋼等の鋼材で製作される。
閉塞部材３は、排水集合管１が取り付けられた床スラブＦＳにおける下階側の開口を閉じる部材である。閉塞部材３は、固定部材２における床固定部２６の外径と略等しいまたは一回り小さい外径、および固定部材２の内径よりも一回り小さな内径を有し、板材でリング状に形成されている。閉塞部材３における中心を含む円形孔を「下部接続部用孔３０」という。下部接続部用孔３０は、排水集合管１における直胴部１７の外径と略同じまたはこれより僅かに大きい値を上限とし、下部接続部１３の外径と略同じまたはこれより僅かに大きい値を下限とする。
【００２０】
閉塞部材３の外径および内径（下部接続部用孔３０の径）は、排水集合管１の形状、および排水集合管１を取り付けるために設けられた床スラブＦＳの貫通孔の大きさ、および排水集合管１の整流部１６等の大きさにより決定される。
閉塞部材３は、互いに周方向において４５度の間隔を有する８つの固定用孔２９，…，２９を有する。閉塞部材３は、鉄板またはステンレス板等の金属板または耐火モルタル等の耐火性の材料で製作される。
【００２１】
シール部材４は、円筒状の孔内挿入部３１と、孔内挿入部３１の一方の端面から径方向外方にリング状に拡がる板状の防震部３２とからなる。孔内挿入部３１の内径は、排水集合管１の直胴部１７における外径と略同じまたはこれよりも僅かに大きい。孔内挿入部３１の外径は、固定部材２における集合管固定部２５の内径と略同じまたはこれよりも僅かに小さい。
【００２２】
防震部３２には、孔内挿入部３１の中心から等距離の位置に、互いに周方向において９０度の間隔を有して配された４つのボルト貫通孔３３，３３，３３，３３が設けられている。１８０度の間隔を有する２つのボルト孔２７，２７の軸心の距離は、フランジ部１９における１８０度の間隔を有する２つのボルト貫通孔２０，２０の軸心の距離に等しい。
シール部材４は、合成ゴム、天然ゴムもしくはこれらの混合物等の弾性を有する材料、またはシリコンゴム等の難燃性であって弾性を有する材料で形成される。このシール部材を介して排水集合管１を固定部材２に取り付けることにより、両者間の水密性が保たれる。
【００２３】
次に床スラブＦＳへの排水集合管１の取り付け作業（施工方法）を説明する。
図６は床スラブＦＳへの排水集合管１の取り付け工程を示す図、図７は床スラブＦＳに取り付けられた排水集合管１廻りの正面部分断面図である。
床スラブＦＳにおける排水集合管１の取り付け位置に、下階側に排水集合管１の直胴部１７の外径よりも大きな径を有し、上階側に固定部材２における集合管固定部２５の外径よりも大きな径を有する、集合管取付孔ＡＳを貫通させる。なお、既設の建築物であれば、古い排水集合管を除去した後の貫通孔をこのように手直しして集合管取付孔ＡＳとしてもよい。
【００２４】
集合管取付孔ＡＳの床スラブＦＳ下面における開口部分に、閉塞部材３を取り付ける。閉塞部材３の取り付けは、下部接続部用孔３０の中心を集合管取付孔ＡＳの中心（軸心）に略一致させ、固定用孔２９，…，２９の位置に合わせて床スラブＦＳの下面に打ち込まれたアンカープラグ３５，３５にボルト３６，３６を螺合させ締め付けることにより行われる。図６において符合３７で示すものは座金である。
【００２５】
次に、床スラブＦＳの上面側から、防音材４１が集合管取付孔ＡＳの内壁に沿って配置される。防音材４１としては、グラスウール、軟質ウレタンフォームの再生材、ロックウール、セラミックファイバー、セルロースファイバーおよびニードルパンチマット等を使用することができる。防音材４１として耐火性材料を選択することにより、下階の火災時に、上階への延焼防止機能を持たせることもできる。
【００２６】
床スラブＦＳの上面側から、固定部材２における集合管固定部２５が集合管取付孔ＡＳに嵌め入れられる。固定部材２は、予め固定補助孔２８，…，２８に合わせて床スラブＦＳ上面の集合管取付孔ＡＳ廻りに打ち込まれたアンカープラグ４２，４２に、固定補助孔２８，２８を貫通させたボルト４３，４３を螺合させ締め付けることにより床スラブＦＳに固定される。
【００２７】
続いて、シール部材４における孔内挿入部３１が、固定部材２の内側の円形空間部分に嵌め入れられる。このとき、ボルト貫通孔３３，…，３３が固定部材２のボルト孔２７，…，２７に重なるように留意する。
床スラブＦＳの上面側から、排水集合管１を、下部接続部１３を先にして、シール部材４の内側空間を経由させて集合管取付孔ＡＳを貫通させ、フランジ部１９をシール部材４の防震部３２に当接させる。フランジ部１９のボルト貫通孔２０，…，２０がシール部材４のボルト貫通孔３３，…，３３に重なるように、排水集合管１の位置を微調整する。
【００２８】
閉塞部材３における下部接続部用孔３０の内径は、排水集合管１が床スラブＦＳに取り付けられたとき、貫通するその本体１１との間に僅かに隙間ができる程度の大きさに設計される。
フランジ部１９のボルト貫通孔２０，２０，２０およびシール部材４のボルト貫通孔３３，…，３３を貫通させたボルト４４，４４，４４を、固定部材２のボルト孔２７，２７，２７の雌ネジに螺合させ締め付ける。この作業により、排水集合管１は床スラブＦＳに固く固定される。なお、固定部材２と床スラブＦＳとの間にもシール部材を挟み込むことにより、床スラブ上下間での水密性を高めてもよい。
【００２９】
排水集合管１は、上述したように、直接に床スラブＦＳにセメント、モルタル等により埋め込まれるのではなく、床スラブＦＳに固定または固着された固定部材２にボルト締めされることにより間接的に床スラブＦＳに固定される。そのため、排水集合管１は、取り付けのためのセメント等の施工、養生等が不要であり、かつ取り外しにセメントのはつり（削）等の作業が不要である。固定部材２と組み合わされた排水集合管１は、大掛かりな作業を必要としないで取り付けおよび取り外しが可能である。また、排水集合管１は、直接に床スラブＦＳに固定されず、防音材４１およびシール部材４の防震部３２を介して床スラブＦＳに間接的に固定される。そのため、排水集合管１が施工された床スラブＦＳでは、排水集合管１から伝わる不快な騒音および震動が弱められ、住居または仕事場に快適な環境を提供することができる。同時に、従来行われている様に、排水集合管の本体部に金具を取り付け、壁または床に板状の取付け部材を用いて設置する方法と比べても、水密性および荷重強度が高い点で優れている。
【００３０】
固定部材２および閉塞部材３のいずれかまたはいずれも、床スラブＦＳにボルト締めで取り付けるのではなく、床スラブＦＳに予め埋め込み固定してもよい。
図８は排水集合管１の上部接続部１２に立管５を接続する様子を示す図である。
排水集合管１は、上部接続部１２が突き合わせ接続型式であり、立管５とはスライド継手６を使用して接続される。排水集合管１と立管５との接続は、さらに上階の床スラブＦＳｕに取り付けられた排水集合管１ｕの下部接続部１３ｕに立管５の上端５１を仮接続し、立管５の下端面を上部接続部１２の端面５３に対向させ、スライド継手６をこれらの対向する部分に移動させて行われる。
【００３１】
図９は他の固定部材２Ｂを使用して床スラブＦＳに取り付けられた排水集合管１廻りの正面部分断面図、図１０は他の固定部材２Ｂの概要図である。
図１０において（ａ）は正面図、（ｂ）は平面図、（ｃ）は固定部材２Ｂの変形例の正面断面図である。
固定部材２Ｂは、円筒状の集合管固定部２５Ｂ、円筒状の内筒部５６Ｂおよび鍔部５７Ｂからなる。
【００３２】
集合管固定部２５Ｂは、排水集合管１のフランジ部１９における外径と略等しい外径を有する。集合管固定部２５Ｂは、いずれも一方の端面に開口し、互いに周方向において９０度の間隔を有する４つのボルト孔２７，２７，２７，２７を備える。ボルト孔２７は、フランジ部１９のボルト貫通孔２０を貫通させたボルト４４と螺合する雌ネジが設けられている。したがって、集合管固定部２５Ｂは、ボルト孔２７を設けることが可能な厚さを有する。
【００３３】
内筒部５６Ｂは、集合管固定部２５Ｂの内径よりも一回り小さな外径を有する、筒状の部分である。内筒部５６Ｂは、その軸心を集合管固定部２５Ｂの軸心と一致させ、その一端が集合管固定部２５Ｂにおけるボルト孔２７，…，２７が開口する側の端に揃えられて、集合管固定部２５Ｂと一体化されている。内筒部５６Ｂの内径は、排水集合管１の直胴部１７における外径よりも大きい。
【００３４】
内筒部５６Ｂおよび集合管固定部２５Ｂが揃えられた端は、平面視（図１０（ｂ））でリング状の連結部５８Ｂで連結されている。連結部５８Ｂは、内筒部５６Ｂの内周面よりも内側まで拡がり、その内径は排水集合管１の直胴部１７における外径よりも僅かに大きい。連結部５８Ｂにより形成される貫通孔を「本体貫通孔２１Ｂ」という。連結部５８Ｂは、図１０（ｃ）に示されるように、集合管固定部２５Ｂａに含まれてもよい。
【００３５】
鍔部５７Ｂは、内筒部５６Ｂにおける連結部５８Ｂとは反対側の端に連続し、内筒部５６Ｂの内方に拡がる板状、リング状の部分である。
鍔部５７Ｂの内径は、排水集合管１における直胴部１７の外径と略同じまたはこれより僅かに大きい値を上限とし、下部接続部１３の外径と略同じまたはこれより僅かに大きい値を下限とする。鍔部５７Ｂの内方端縁により形成される断面が円形の孔を「下部接続部用孔３０Ｂ」という。
【００３６】
集合管固定部２５Ｂの各部の大きさは、これにより固定される排水集合管１の形状、および排水集合管１を取り付けるために設けられた床スラブＦＳの貫通孔の大きさ、および排水集合管１の整流部１６等の大きさにより決定される。
固定部材２Ｂは、次のように施工されて排水集合管１を着脱可能に保持する。
固定部材２Ｂが、鍔部５７Ｂを下にして床スラブＦＳに設けられた貫通孔（以下「集合管取付孔ＡＳ」という）に入れられ、セメントまたはモルタル等より床スラブＦＳと連結部５８Ｂの上面がほぼ面一にあるいはわずかに張り出した状態にて固着される。内筒部５６Ｂよりも内側に拡がる部分および鍔部５７Ｂに二方を囲まれた空間に、防音材４１が収容される。
【００３７】
連結部５８Ｂに防震作用を有するリング状のパッキン３２Ｂが載せられ、排水集合管１が下部接続部１３を先にして、防音材４１が形成する中央の空間に挿入される。排水集合管１は、固定部材２Ｂの鍔部５７Ｂから下部接続部１３を下方に突出させ、フランジ部１９がパッキン３２Ｂに当接するまで、集合管取付孔ＡＳに挿入される。フランジ部１９は、パッキン３２Ｂを介して、ボルト４４，４４により集合管固定部２５Ｂに固定される。
【００３８】
パッキン３２Ｂおよび防音材４１には、不燃性または難燃性の材料を用いることで、延焼防止効果を得ることができる。
鍔部５７Ｂの内径は、排水集合管１が床スラブＦＳに取り付けられたとき、貫通するその本体１１との間に僅かに隙間ができる程度の大きさに設計される。
固定部材２Ｂを、床スラブＦＳにアンカープラグを打ち込み、前述した固定部材２のような固定補助孔２８を備えた床固定部を有するものとして、ボルトにより床スラブＦＳに固定するようにしてもよい。
【００３９】
固定部材２を床スラブＦＳに予め埋設する方法であれば、排水集合管１を取り付ける際に、また更新する際において、老朽化した排水集合管１の取り外しにセメントのはつり（削）、アンカープラグ等の設置作業が不要であって、大掛かりな作業を必要としない。
図１１および図１２は他の排水集合管１Ｃ，１Ｄの概要図である。図１１および図１２において（ａ）は平面図および（ｂ）は正面図である。
【００４０】
図１１は、平面視（ａ）において四隅にボルト貫通孔２０Ｃが設けられた矩形のフランジ部１９Ｃを有する排水集合管１Ｃである。図１２は、平面視（ａ）において略９０度間隔に外方に伸びたラグ状部分６１Ｄにそれぞれボルト貫通孔２０Ｄが設けられた排水集合管１Ｄである。
排水集合管１Ｃ，１Ｄは、いずれも上述した排水集合管１と同様にして、固定部材２または固定部材２Ｂにボルト４４により簡便に固定され、これらから簡便に取り外すことができる。
【００４１】
図１１および図１２において排水集合管１と同じ構成の部分は排水集合管と同じ符合を付し、その説明を省略する。
図１３は他の固定部材２Ｅを使用して床スラブＦＳに取り付けられた排水集合管１廻りの正面部分断面図である。
固定部材２Ｅは、連結部５８Ｄが内筒部５６Ｂの内周面で終わり、内方に突出していない点で、上述した図１０に示された固定部材２と異なる。内筒部５６Ｂの内径は、排水集合管１の直胴部１７の外径よりも一回り大きい。固定部材２Ｅにおける本体貫通孔は、内筒部５６Ｂおよび鍔部５７Ｂに囲まれた内方空間に防音材４１が収容される。固定部材２Ｅによる排水集合管１の床スラブＦＳの取り付けは、図５に示されるシール部材４を用いて行われる。
【００４２】
図１４は他の排水集合管１Ｅ，１Ｆの平面図である。
図１４に示されるそれぞれの排水集合管１Ｅ，１Ｆは、上述した排水集合管１，１Ｃのフランジ部１９，１９Ｃにおけるボルト貫通孔２０，２０Ｃの代わりに、切り欠き２０Ｅ，２０Ｆが設けられている。
上述の実施形態において、フランジ部１９，１９Ｃ，１９Ｅ，１９Ｆおよびラグ状部分６１Ｄは、他の形態としてもよい。固定部材２，２Ｂ，２Ｅの形状および床スラブＦＳへの固定方法を、上述したもの以外のものとすることができる。たとえば、アンカープラグにて床スラブＦＳに固定する代わりに、固定部材２、閉塞部材３および排水集合管１，１Ｃ，１Ｄを、床スラブＦＳを挟んで貫通ボルトによりこれらを床スラブＦＳに固定してもよい。
【００４３】
また、排水集合管１，１Ｃ，１Ｄ，１Ｅ，１Ｆ内を流下する排水による騒音および震動を問題としない使用場所では、シール部材４を使用しないで排水集合管１，１Ｃ，１Ｄ，１Ｅ，１Ｆを固定部材２，２Ｂ，２Ｅに取り付けてもよい。そのような使用場所では、排水集合管１，１Ｃ，１Ｄ，１Ｅ，１Ｆを直接に、床スラブＦＳに打ち込まれたアンカープラグにボルト止めしてもよい。いずれの場合であっても、排水集合管１，１Ｃ，１Ｄ，１Ｅ，１Ｆは、床スラブＦＳへの取り付けおよび取り外しを簡便な作業で行うことができる。
【００４４】
排水集合管１，１Ｃ，１Ｄ，１Ｅ，１Ｆの固定部材２，２Ｂ，２Ｅへの取り付けまたは床スラブＦＳへの直接的な取り付けは、上述したボルト４４による方法以外の他の方法で行うことができる。例えば、固定部材２，２Ｂにおけるボルト孔２７の位置に埋込ボルト（雄ネジが刻まれた棒状突出物）を配し、または床スラブＦＳに雄ネジタイプのアンカーボルトを打ち込み、これらにナットを螺合させることにより排水集合管１，１Ｃ，１Ｄ，１Ｅ，１Ｆを取り付けてもよい。排水集合管１，１Ｃ，１Ｄ，１Ｅ，１Ｆにおけるボルト貫通孔２０，２０Ｃ，２０Ｄにボルト４４以外の、これに類する一体化および分離が容易な部材を貫通させて排水集合管１，１Ｃ，１Ｄ，１Ｅ，１Ｆを取り付けることができる。
【００４５】
その他、排水集合管１，１Ｃ，１Ｄ，１Ｅ，１Ｆおよび固定部材２，２Ｂ，２Ｅの各構成または全体の構造、形状、寸法、個数、材質等は、本発明の趣旨に沿って適宜変更することができる。
【産業上の利用可能性】
【００４６】
本発明は、高層集合住宅または事務所ビル等において上下階を隔てる床スラブに取り付けられる排水集合管および排水集合管セットに利用することができる。
【符号の説明】
【００４７】
１，１Ｃ〜１Ｆ  排水集合管
２，２Ｂ，２Ｂａ，２Ｅ  固定部材
３  閉塞部材
４  シール部材
５  立管
１１  本体
１２  上部接続部
１３  下部接続部
１９，１９Ｃ，１９Ｅ，１９Ｆ  フランジ部（被固定部）
２０，２０Ｃ，２０Ｄ  ボルト貫通孔（貫通孔）
２０Ｅ，２０Ｆ  切り欠き
２１，２１Ｂ  本体貫通孔
２５，２５Ｂ，２５Ｂａ  集合管固定部
２７  ボルト孔（雌ネジ部）
３０，３０Ｂ  下部接続部用孔
３１  孔内挿入部
５７Ｂ  鍔部
６１Ｄ  ラグ状部分（被固定部）
ＦＳ  床スラブ
【図１】
0005608396.tif 000002
【図２】
0005608396.tif 000003
【図３】
0005608396.tif 000004
【図４】
0005608396.tif 000005
【図５】
0005608396.tif 000006
【図１０】
0005608396.tif 000007
【図１１】
0005608396.tif 000008
【図１２】
0005608396.tif 000009
【図１４】
0005608396.tif 000010
【図６】
0005608396.tif 000011
【図７】
0005608396.tif 000012
【図８】
0005608396.tif 000013
【図９】
0005608396.tif 000014
【図１３】
0005608396.tif 000015